(57)【特許請求の範囲】
【請求項１】
液体を供給するための給水装置であって、
液体を圧送するためのポンプと、
前記ポンプの吐出側圧力が目標圧力制御カーブ上の目標圧力になるように前記ポンプの運転を制御する運転制御部、及び、前記給水装置に関する情報をウェブブラウザに表示させるためのウェブページを生成するウェブページ生成部、を有する制御部と、
前記制御部によって生成されたウェブページを外部装置へ送信するためのウェブサーバ部が実装されるポートと、
を備える給水装置。
【請求項２】
請求項１の給水装置において、
前記ポートに実装された前記ウェブサーバ部と、
前記制御部によって生成されたウェブページを記憶するための記憶部と、をさらに備え、
前記ウェブサーバ部は、前記記憶部に記憶されたウェブページを外部装置へ無線送信する、
給水装置。
【請求項３】
請求項２の給水装置において、
前記ウェブサーバ部及び前記記憶部は、前記ポートに対して取り外し可能な記憶通信媒体に実装される、
給水装置。
【請求項４】
請求項３の給水装置において、
前記制御部は、前記記憶通信媒体が前記ポートに取り付けられている場合にのみ、前記ウェブページを生成して前記記憶部へ記憶させる、
給水装置。
【請求項５】
請求項１〜４のいずれか１項の給水装置において、
前記給水装置に関する情報は、前記給水装置の保守点検、又は、前記給水装置の故障の事前診断、を行うための前記給水装置の運転状態を示す情報を含む、
給水装置。
【請求項６】
請求項５の給水装置において、
液体を圧送するためのポンプと、
前記ポンプを駆動するためのモータと、をさらに備え、
前記給水装置の運転状態を示す情報は、前記ポンプの圧力、前記ポンプの液体流量、及び、前記モータの回転数、の少なくとも１つを含む、
給水装置。
【請求項７】
液体を供給するための給水装置を監視する監視装置であって、
前記給水装置から有線ケーブルを介して送信された前記給水装置に関する情報をウェブブラウザに表示させるためのウェブページを生成するウェブページ生成部を有する制御部と、
前記制御部によって生成されたウェブページを外部装置へ送信するためのウェブサーバ部が実装されるポートと、
を備える、監視装置。
【請求項８】
請求項７の監視装置において、
前記ポートに実装された前記ウェブサーバ部と、
前記制御部によって生成されたウェブページを記憶するための記憶部と、をさらに備え、
前記ウェブサーバ部は、前記記憶部に記憶されたウェブページを外部装置へ無線送信する、
監視装置。
【請求項９】
請求項８の監視装置において、
前記ウェブサーバ部及び前記記憶部は、前記ポートに対して取り外し可能な記憶通信媒体に実装される、
監視装置。
【請求項１０】
請求項９の監視装置において、
前記制御部は、前記記憶通信媒体が前記ポートに取り付けられている場合にのみ、前記ウェブページを生成して前記記憶部へ記憶させる、
監視装置。
【請求項１１】
請求項７〜１０のいずれか１項の監視装置において、
前記給水装置に関する情報は、前記給水装置の保守点検、又は、前記給水装置の故障の事前診断、を行うための前記給水装置の運転状態を示す情報を含む、
監視装置。
【請求項１２】
請求項１１の監視装置において、
前記給水装置の運転状態を示す情報は、前記給水装置に含まれるポンプの圧力、前記ポンプの液体流量、及び、前記給水装置に含まれるモータの回転数、の少なくとも１つを含む、
監視装置。
【請求項１３】
請求項７〜１２のいずれか１項の監視装置と、
液体を圧送するためのポンプ、及び、前記ポンプを駆動するためのモータ、を備える給水装置と、
を備える給水システム。
【発明の詳細な説明】
【技術分野】
【０００１】
本発明は、給水装置、監視装置、及び、給水システムに関するものである。
【背景技術】
【０００２】
従来、水などの液体を所望の場所へ供給するために給水装置が用いられている。給水装置は、液体を移送するためのポンプ、ポンプを駆動するためのモータ、モータの回転数を制御するためのインバータ、及び、給水装置の運転を制御するための制御部、などを備えている。
【０００３】
給水装置は、メンテナンス又は修理が行われる場合がある。従来技術の給水装置は、メンテナンス又は修理を行うために、ＩＣタグを用いて給水装置に関する情報を外部へ通信する場合があった。ＩＣタグは、例えば作業員が所持する携帯端末などの外部機器との間で無線通信を行うことができるようになっている。
【０００４】
例えば、携帯端末を所持した作業員は、携帯端末をＩＣタグにかざすことによって、給水装置の運転積算時間、運転回数、又は、故障履歴、などの情報を、ＩＣタグから取得することができる。
【先行技術文献】
【特許文献】
【０００５】
【特許文献１】特開２００７−１９２０５６号公報
【発明の概要】
【発明が解決しようとする課題】
【０００６】
しかしながら、従来技術の給水装置は、作業員が給水装置の近傍まで行って携帯端末をＩＣタグにかざさなければ給水装置に関する情報を取得することができない。また、従来技術の給水装置は、複数の作業員が給水装置に関する情報を同時に取得することが難しい。したがって、従来技術の給水装置は、使い勝手があまり良くない。そこで、本願発明の一形態は、複数の装置が遠隔地から給水装置に関する情報を取得することができるようにすることを課題とする。
【０００７】
また、上記の従来技術の他には、複数の給水装置それぞれに関する情報を各給水装置から中央監視装置へ送信し、作業員が中央監視装置にアクセスすることによって複数の給水装置に関する情報を取得することが考えられる。しかしながら、この構成では、中央監視装置を設けるためのコストがかかる。これに加えて、この構成では、作業員は、給水装置からいったん中央監視装置へ送られた情報を取得することになるので、作業員が取得した情報にタイムラグが生じるおそれがある。その結果、作業員が取得した情報が給水装置の状態を正しく反映していないおそれがある。そこで、本願発明の一形態は、給水装置の状態を正しく反映した情報を取得することができるようにすることを課題とする。
【０００８】
本願発明の一形態は、上記の課題の少なくとも１つを解決するためになされたものである。
【課題を解決するための手段】
【０００９】
本願発明の一形態の給水装置は、液体を供給するための給水装置であって、液体を圧送するためのポンプと、前記ポンプの吐出側圧力が目標圧力制御カーブ上の目標圧力になるように前記ポンプの運転を制御する運転制御部、及び、前記給水装置に関する情報をウェ
ブブラウザに表示させるためのウェブページを生成するウェブページ生成部、を有する制御部と、前記制御部によって生成されたウェブページを外部装置へ送信するためのウェブサーバ部が実装されるポートと、を備える。
【００１０】
これによれば、給水装置の外部装置は、ネットワークを介してウェブサーバ部へアクセスすることによって、給水装置に関する情報を取得することができる。また、外部装置は、例えば、ＩＣタグを用いたＲＦＩＤ（Ｒａｄｉｏ  Ｆｒｅｑｕｅｎｃｙ  Ｉｄｅｎｔｉｆｉｅｒ）通信によって給水装置に関する情報を取得するのではなく、ＷＷＷ（Ｗｏｒｌｄ  Ｗｉｄｅ  Ｗｅｂ）を用いた通信によって給水装置に関する情報を取得することができる。したがって、一形態の給水装置によれば、例えば、外部装置を所持した作業員が給水装置の近傍まで行かなくても、給水装置に関する情報を取得することができる。また、一形態の給水装置によれば、複数台の外部装置が遠隔地から給水装置に関する情報を同時に取得することができる。
【００１１】
また、上記の給水装置において、前記ポートに実装された前記ウェブサーバ部と、前記制御部によって生成されたウェブページを記憶するための記憶部と、をさらに備え、前記ウェブサーバ部は、前記記憶部に記憶されたウェブページを外部装置へ無線送信することができる。
【００１２】
また、上記の給水装置において、前記ウェブサーバ部及び前記記憶部は、前記ポートに対して取り外し可能な記憶通信媒体に実装されていてもよい。
【００１３】
これによれば、給水装置に関する情報を送信するモデルと、給水装置に関する情報を送信しないモデルと、で装置を共通化することができるとともにコストを削減することができる。すなわち、ポートに記憶通信媒体を実装すれば給水装置に関する情報を送信するモデルとなり、ポートに記憶通信媒体を実装しなければ給水装置に関する情報を送信しないモデルとなる。また、給水装置に関する情報を送信しないモデルについては、記憶通信媒体を実装しないのでコストを削減することができる。
【００１４】
また、上記の給水装置において、前記制御部は、前記記憶通信媒体が前記ポートに取り付けられている場合にのみ、前記ウェブページを生成して前記記憶部へ記憶させることができる。
【００１５】
これによれば、給水装置は、給水装置に関する情報を送信すべきか否かを記憶通信媒体の有無によって判断できる。このため、給水装置は、記憶通信媒体がポートに取り付けられている場合には、外部装置との通信を行い、記憶通信媒体がポートに取り付けられていない場合には、外部装置との通信を行わない。したがって、一形態の給水装置は、従来技術のように、通信相手となる外部装置が存在しておらず通信を行う必要がない場合にも関わらず送信処理を行うという制御の無駄を防止することができる。
【００１６】
また、上記のいずれかの給水装置において、前記給水装置に関する情報は、前記給水装置の保守点検、又は、前記給水装置の故障の事前診断、を行うための前記給水装置の運転状態を示す情報を含んでいてもよい。
【００１７】
また、上記の給水装置において、液体を圧送するためのポンプと、前記ポンプを駆動するためのモータと、をさらに備え、前記給水装置の運転状態を示す情報は、前記ポンプの圧力、前記ポンプの液体流量、及び、前記モータの回転数、の少なくとも１つを含んでいてもよい。
【００１８】
本願発明の一形態の監視装置は、液体を供給するための給水装置を監視する監視装置で
あって、前記給水装置から有線ケーブルを介して送信された前記給水装置に関する情報をウェブブラウザに表示させるためのウェブページを生成するウェブページ生成部を有する制御部と、前記制御部によって生成されたウェブページを外部装置へ送信するためのウェブサーバ部が実装されるポートと、を備える。
【００１９】
また、上記の監視装置において、前記ポートに実装された前記ウェブサーバ部と、前記制御部によって生成されたウェブページを記憶するための記憶部と、をさらに備え、前記ウェブサーバ部は、前記記憶部に記憶されたウェブページを外部装置へ無線送信することができる。
【００２０】
また、上記の監視装置において、前記ウェブサーバ部及び前記記憶部は、前記ポートに対して取り外し可能な記憶通信媒体に実装されていてもよい。
【００２１】
また、上記の監視装置において、前記制御部は、前記記憶通信媒体が前記ポートに取り付けられている場合にのみ、前記ウェブページを生成して前記記憶部へ記憶させることができる。
【００２２】
また、上記のいずれか１項の監視装置において、前記給水装置に関する情報は、前記給水装置の保守点検、又は、前記給水装置の故障の事前診断、を行うための前記給水装置の運転状態を示す情報を含んでいてもよい。
【００２３】
また、上記の監視装置において、前記給水装置の運転状態を示す情報は、前記給水装置に含まれるポンプの圧力、前記ポンプの液体流量、及び、前記給水装置に含まれるモータの回転数、の少なくとも１つを含んでいてもよい。
【００２４】
本願発明の一実施形態の給水システムは、上記のいずれかの監視装置と、液体を圧送するためのポンプ、及び、前記ポンプを駆動するためのモータ、を備える給水装置と、を備える。
【図面の簡単な説明】
【００２５】
【図１】給水装置の基本的な構成及び動作を説明するための図である。
【図２】推定末端圧力一定制御の一例を説明するためのポンプの運転特性曲線図である。
【図３】第１実施形態の給水装置の構成を模式的に示す図である。
【図４】第２実施形態の監視装置及び給水システムの構成を模式的に示す図である。
【発明を実施するための形態】
【００２６】
以下、本願発明の一実施形態に係る給水装置、監視装置、及び、給水システムが図面に基づいて説明される。
【００２７】
はじめに、給水装置の基本的な構成及び動作について説明する。図１は、給水装置の基本的な構成及び動作を説明するための図である。図１に示すように、給水装置１００の吸込口は、導入管５を介して水道管４に接続されている。給水装置１００の吐出口には給水管７が接続されている。給水管７は、建物の各階の給水器具（例えば蛇口）に連通している。給水装置１００は、水道管４からの水を増圧して建物の各給水器具に水を供給する。
【００２８】
水道管４にポンプの吸込側が導入管５を介して直結される給水装置１００は、２台のポンプ１１０（１１０ａ，１１０ｂ）と、これらのポンプ１１０を駆動する駆動源としてのモータ（電動機）１２０（１２０ａ，１２０ｂ）と、モータ１２０を可変速駆動する駆動装置としてのインバータ１３０（１３０ａ，１３０ｂ）と、を備える。また、給水装置１
００は、ポンプ１１０の吸込側に配置された逆流防止装置２５と、逆流防止装置２５の吸込側に配置された圧力センサ（吸込側圧力センサ）１１２と、を備える。また、給水装置１００は、ポンプ１１０の吐出側に配置された逆止弁２２と、逆止弁２２の吐出側に配置されたフロースイッチ１１４（１１４ａ，１１４ｂ）と、フロースイッチ１１４の吐出側に配置された圧力センサ（吐出側圧力センサ）１１３と、圧力センサ１１３の吐出側に配置された圧力タンク２８と、を備える。これら構成要素は、給水装置１００のキャビネット３０内に収容されている。なお、キャビネット３０を備えていないタイプの給水装置もある。
【００２９】
給水装置１００には、２組のポンプ１１０、モータ１２０、逆止弁２２、及びフロースイッチ１１４が設けられ、これらは並列に設けられている。なお、１組、または３組以上のポンプ、モータ、逆止弁、及びフロースイッチが設けられてもよい。
【００３０】
給水装置１００は、水道管４の圧力のみで給水を行うためのバイパス管８を備える。バイパス管８は、導入管５と給水管７とを連通する。バイパス管８には逆止弁２３が設けられている。直結式給水装置では、図１に示すようにポンプ１１０の吸込側が水道管４に接続されているが、受水槽式の給水装置では、ポンプ１１０の吸込側は導入管５を介して受水槽に接続される。受水槽式の給水装置の場合、図１に示す逆流防止装置２５、吸込側の圧力センサ１１２、及びバイパス管８は設けられない。
【００３１】
逆止弁２２は、ポンプ１１０の吐出口に接続された吐出管３２にそれぞれ設けられている。これら逆止弁２２は、ポンプ１１０が停止したときの水の逆流を防止するための弁である。フロースイッチ１１４は、吐出管３２を流れる水の流量が所定の値にまで低下したこと、すなわち過少水量を検出する流量検出器である。圧力センサ１１３は、ポンプ１１０の吐出側圧力（以降、吐出側圧力とは、圧力センサ１１３にて測定した圧力値を示す。）を測定するための水圧測定器である。圧力タンク２８は、ポンプ１１０が停止している間の吐出側圧力を保持するための圧力保持器である。
【００３２】
給水装置１００は、給水動作を制御する制御部１４０を備えている。インバータ１３０、フロースイッチ１１４、圧力センサ１１２，１１３は、制御部１４０に信号線を介して接続されている。フロースイッチ１１４により過少水量が検出されると、制御部１４０はポンプ１１０の運転速度を一時的に上げるようインバータ１３０に指令を出し、圧力タンク２８に蓄圧してからポンプ１１０の運転を停止させる。
【００３３】
ポンプ１１０が停止している状態で建物内で水が使用されると、ポンプ１１０の吐出側圧力が低下する。この吐出側圧力、すなわち圧力センサ１１３の出力値が上記所定の始動圧力にまで低下すると、制御部１４０はポンプ１１０のうちのいずれか一方を始動させる。具体的には、制御部１４０はモータ１２０の駆動を開始するようにインバータ１３０に指令を出す。制御部１４０には、ポンプ１１０を始動させるトリガーとなる始動圧力が予め記憶されている。ポンプ１１０の運転中は、吐出側圧力に基づいて推定末端圧力一定制御または吐出圧力一定制御が行われる。
【００３４】
建物での水の使用が少なくなると、フロースイッチ１１４は、過少水量を検出し、その検出信号を制御部１４０に送る。制御部１４０はこの検出信号を受け、インバータ１３０に指令を出して吐出側圧力が所定の停止圧力に達するまでポンプ１１０の回転数を増加させ、圧力タンク２８に蓄圧した後ポンプ１１０を停止させる。
【００３５】
給水装置１００は、ポンプの運転状態を表示する表示器４９を備えていてもよい。表示器４９としては、７セグメントＬＥＤ、表示灯の簡易的な表示器、又は、液晶画面などを用いることができる。表示器４９は、吐出側圧力、故障の発生、ポンプ１１０ごとの積算
運転時間、ポンプ１１０ごとの積算運転回数、ポンプ１００の運転に必要な設定値など、必要最低限の情報を表示する。
【００３６】
推定末端圧力一定制御では、建物内の給水管での抵抗損失に応じて目標圧力を適切に変化させることにより、給水装置１００から末端に位置する給水器具での水圧が一定に制御される。図２は、推定末端圧力一定制御の一例を説明するためのポンプの運転特性曲線図である。図２の左図において、横軸は水の流量であり、縦軸は吐出し圧力すなわち揚程（ヘッド）である。また、図２の右図において横軸はポンプ回転数であり、縦軸は吐出し圧力すなわち揚程(ヘッド)である。
【００３７】
図２に示すＰＡは、給水装置１００から末端の給水器具における最大流量時の吐出側圧力(以下、ＰＡと記す)である。ここでいう最大流量とは、建物内のすべての給水器具において最大水量が使用される状態である。また、ＰＢは、給水装置１００から末端の給水器具における締切運転時の吐出側圧力(以下ＰＢと記す)である。ここでいう締切運転時とは、建物内のすべての給水器具において流量０の時に、給水装置１００から最も高く且つ最も遠くの位置（すなわち末端の位置）にある給水器具に必要な供給圧力とその給水器具までの管路に生じる圧力損失を加えた値である。記号ＮＭＡＸで示される曲線は、ポンプ１１０の性能により決まる最高回転数ＮＭＡＸでポンプ１１０を運転したときのポンプ１１０の揚程曲線である。記号ＮＭＩＮで示される曲線は、圧力ＰＢを達成する回転数（締切回転数）ＮＭＩＮでポンプ１１０を運転したときのポンプ１１０の揚程曲線である。また、Ｐ０５は、最高回転数ＮＭＡＸにおける締切運転時の吐出側圧力(以下、最高回転数をＮＭＡＸ、締切り運転時のＰＢにおける回転数をＮＭＩＮ、ＮＭＡＸにて締切運転時の揚程をＰ０５と記す)である。一般的にポンプの吐出し流量とポンプの回転数とは比例し、且つ、ポンプの全揚程はポンプの回転数の２乗に比例するため、ＰＡとＰＢとを通る２次曲線は、末端の給水器具における管路抵抗曲線Ｒとなる。ポンプ１１０が任意の回転数における揚程曲線Ｎｍと管路抵抗曲線Ｒとの交点である運転点で運転されることにより、末端の給水器具における圧力はＰＢ一定に保たれる。
【００３８】
推定末端圧力一定制御に用いられる目標圧力制御カーブＣについて図２の右図を用いて説明する。図中のＣ０は締切運転カーブである。ポンプ１１０の吸込み側圧力が０の場合、Ｃ０は、圧力＝０と回転数＝０、及び、Ｐ０５とＮＭＡＸ、を通る２次曲線である。目標圧力制御カーブＣは、ＰＡとＮＭＡＸ、及び、ＰＢとＮＭＩＮ、を通る２次曲線である。給水装置１００から末端の給水器具において圧力をＰＢ一定に制御する（すなわち目標圧力ＰＡにて推定末端圧一定制御を行う）場合、先に述べたようにポンプ１１０の吐出し流量はポンプ１１０の回転数に比例するため、現在の流量ＱＮに対応したポンプ１１０の回転数Ｎｍと目標圧力制御カーブＣとから目標圧力ＰＮを設定する。
【００３９】
したがって、流量が少ないときは、吐出側圧力の目標圧力が低くなり、その分ポンプ１１０の必要動力が低くなって回転数が小さくなることにより、省エネルギー運転が実現される。
【００４０】
なお、図２において、圧力ＰＢが圧力ＰＡに等しくなるように圧力ＰＢを設定すると、制御部１４０は推定末端圧一定制御ではなく吐出圧力一定制御を実行する。この場合は、制御部１４０は、吐出側圧力がＰＡ（＝ＰＢ）を保つように、ポンプ１１０の回転数を制御する。
【００４１】
本実施形態の給水装置１００は２台のポンプ１１０を備えており、２台のポンプ１１０のうちのいずれかが故障した場合、他方のポンプ１１０がバックアップ運転する。また、ポンプ１１０の積算運転時間の平準化や、ポンプ１１０内部の死水防止のため、ポンプ１１０の始動順序を変えたり、あらかじめ設定した時間で、運転中のポンプ１１０を他方の
ポンプ１１０に強制的に切り替えたりする。また、省エネのため、給水量に応じてポンプ１１０を追加したり、解列したりする。その他、様々な方法に従って、ポンプ１１０のローテーションおよび台数制御を行っている。通常、給水装置１００は常時通電されており、上述したように建物内での水に使用に応じてポンプ１１０の発停や回転数を制御する自動運転モードにて使用されている。
【００４２】
＜第１実施形態＞
次に、第１実施形態の給水装置について説明する。なお、以下では、図１に示した給水装置１００の一部の構成のみを図示して説明を簡略化する。図３は、第１実施形態の給水装置の構成を模式的に示す図である。図３に示すように、給水装置１００は、液体（例えば、水）を圧送するためのポンプ１１０と、ポンプ１１０を駆動するためのモータ１２０と、を備える。また、給水装置１００は、モータ１２０の回転数を制御するためのインバータ１３０と、給水装置１００の運転を制御するための制御部１４０と、を備える。
【００４３】
制御部１４０は、表示部４９、運転制御部１４２、及びウェブページ生成部１４４を備える。運転制御部１４２は、上記したように、吐出側圧力が目標圧力制御カーブ上の目標圧力になるようにポンプ１１０の運転を制御する。ウェブページ生成部１４４は、給水装置１００に関する情報をウェブブラウザに表示させるためのウェブページを生成する。例えば、制御部１４０（ウェブページ生成部１４４）は、ＨＴＭＬ（Ｈｙｐｅｒ  Ｔｅｘｔ
Ｍａｒｋｕｐ  Ｌａｎｇｕａｇｅ）を用いてウェブページを生成するが、これには限定されない。
【００４４】
ここで、給水装置１００に関する情報は、例えば、給水装置１００の運転状態を示す情報を含む。給水装置１００の運転状態を示す情報は、例えば、給水装置１００の保守点検、又は、給水装置１００の故障の事前診断、を行うために使用される。具体的には、給水装置１００の運転状態を示す情報は、ポンプ１１０の圧力、ポンプ１１０の液体流量、及び、モータ１２０の回転数、の少なくとも１つを含む。
【００４５】
本実施形態の給水装置１００は、ポンプ１１０の圧力を検出するための圧力センサ１１２，１１３と、ポンプ１１０の液体流量（吐出し流量）を検出するためのフロースイッチ１１４と、を備える。圧力センサ１１２，１１３によって検出された圧力の信号、及び、フロースイッチ１１４によって検出された流量の信号、は、制御部１４０に入力される。また、給水装置１００は、モータ１２０の回転数を検出するための回転数センサ１２２を備える。回転数センサ１２２によって検出された回転数の信号は、制御部１４０に入力される。制御部１４０は、入力された圧力の信号、流量の信号、及び、回転数の信号、に基づいて、給水装置１００の運転状態を示す情報に関するウェブページを生成する。なお、給水装置１００の運転状態を示す情報は、給水装置１００の運転積算時間、運転回数、又は、故障履歴、目標圧力、設定圧力、流入圧力、電流センサから取得する出力電流値、インバータの出力周波数、ポンプの設置台数、ポンプ温度、受水槽の有無、受水槽の水位、市水流入制御弁の状態、などを含んでいてもよい。
【００４６】
また、給水装置１００は、制御部１４０によって生成されたウェブページを記憶するための記憶部１５２を備える。また、給水装置１００は、制御部１４０によって生成されたウェブページを外部装置（例えば、作業員が所持する端末装置２００）へ送信するためのウェブサーバ部１５４を備える。具体的には、ウェブサーバ部１５４は、ＨＴＴＰ（Ｈｙｐｅｒｔｅｘｔ  Ｔｒａｎｓｆｅｒ  Ｐｒｏｔｏｃｏｌ）にしたがって、記憶部１５２に記憶されたウェブページを外部装置へ無線送信する。なお、端末装置２００は、例えば、ノートパソコン、スマートフォン、又は、タブレット型コンピュータ、などの携帯可能な端末装置である。
【００４７】
本実施形態によれば、給水装置１００の外部に設けられた端末装置２００は、ネットワークを介してウェブサーバ部１５４へアクセスすることによって、給水装置１００に関する情報を取得することができる。また、端末装置２００は、例えば、ＩＣタグを用いたＲＦＩＤ（Ｒａｄｉｏ  Ｆｒｅｑｕｅｎｃｙ  Ｉｄｅｎｔｉｆｉｅｒ）通信によって給水装置１００に関する情報を取得するのではなく、ＷＷＷ（Ｗｏｒｌｄ  Ｗｉｄｅ  Ｗｅｂ）を用いた通信によって給水装置１００に関する情報を取得することができる。したがって、本実施形態の給水装置１００によれば、例えば、端末装置２００を所持した作業員が給水装置１００の近傍まで行かなくても、給水装置１００に関する情報を取得することができる。また、本実施形態の給水装置１００によれば、複数台の端末装置２００が遠隔地から給水装置１００に関する情報を同時に取得することができる。
【００４８】
また、本実施形態の給水装置１００によれば、給水装置１００の状態を正しく反映した情報を端末装置２００が取得することができる。すなわち、給水装置の情報を取得する方法としては、複数の給水装置それぞれに関する情報を各給水装置から中央監視装置（ワークステーション）へ送信し、作業員が中央監視装置にアクセスすることが考えられる。しかしながら、この構成では、中央監視装置を設けるためのコストがかかる上に、作業員は、給水装置からいったん中央監視装置へ送られた情報を取得することになるので、作業員が取得した情報にタイムラグが生じるおそれがある。これに対して本実施形態では、端末装置２００は、給水装置１００に設けられたウェブサーバ部１５４から直接、給水装置１００に関する情報を取得することができる。したがって、本実施形態の給水装置１００によれば、端末装置２００は、タイムラグが生じていない、給水装置１００の状態を正しく反映した情報を取得することができる。
【００４９】
また、本実施形態では、記憶部１５２及びウェブサーバ部１５４は、給水装置１００に対して取り外し可能な記憶通信媒体１５０に実装されている。言い換えると、記憶通信媒体１５０は、無線通信機能が搭載されたメモリカードなどである。給水装置１００は、記憶通信媒体１５０を実装するためのポート１６０を備える。記憶通信媒体１５０は、ポート１６０に対して抜き差しできるようになっている。
【００５０】
記憶通信媒体１５０がポート１６０に実装されている場合には、端末装置２００は、給水装置１００に関する情報を取得することができる。一方、記憶通信媒体１５０がポート１６０に実装されていない場合には、端末装置２００は、給水装置１００に関する情報を取得することができない。
【００５１】
本実施形態の給水装置１００によれば、給水装置１００に関する情報を送信するモデルと、給水装置１００に関する情報を送信しないモデルと、で装置を共通化することができるとともにコストを削減することができる。すなわち、給水装置１００のポート１６０に記憶通信媒体１５０を実装すれば給水装置１００に関する情報を送信するモデルとなり、給水装置１００のポート１６０に記憶通信媒体１５０を実装しなければ給水装置１００に関する情報を送信しないモデルとなる。また、給水装置１００に関する情報を送信しないモデルについては、記憶通信媒体１５０を実装しないのでコストを削減することができる。
【００５２】
また、給水装置１００が、給水装置１００に関する情報を送信しないモデルとして現場に設置され、事後的に給水装置１００に関する情報を送信するモデルに変更される場合には、ポート１６０に記憶通信媒体１５０を取り付けるだけの簡単な作業でモデル変更が実現される。その逆に、給水装置１００が、給水装置１００に関する情報を送信するモデルとして現場に設置され、事後的に給水装置１００に関する情報を送信しないモデルに変更される場合には、ポート１６０から記憶通信媒体１５０を取り外すだけの簡単な作業でモデル変更が実現される。
【００５３】
また、記憶通信媒体１５０がポート１６０に対して取り外し可能になっているので、制御部１４０は、記憶通信媒体１５０がポート１６０に取り付けられている場合にのみ、ウェブページを生成して記憶部１５２へ記憶させるようになっている。給水装置１００は、記憶通信媒体１５０がポート１６０に取り付けられている場合には、端末装置２００との間で通信を行う。言い換えると、制御部１４０は、記憶通信媒体１５０がポート１６０に取り付けられていない場合には、ウェブページの生成及び記憶部１５２への記憶を行わない。給水装置１００は、記憶通信媒体１５０がポート１６０に取り付けられていない場合には、端末装置２００との間で通信を行わない。
【００５４】
このように、本実施形態の給水装置１００は、給水装置１００に関する情報を送信すべきか否かを記憶通信媒体１５０の有無によって判断できる。このため、本実施形態の給水装置１００は、従来技術のように、通信相手となる端末装置２００が存在しておらず通信を行う必要がない場合にも関わらず送信処理を行うという制御の無駄を防止することができる。
【００５５】
＜第２実施形態＞
次に、第２実施形態の監視装置及び給水システムについて説明する。図４は、第２実施形態の監視装置及び給水システムの構成を模式的に示す図である。
【００５６】
図４に示すように、給水システム５００は、給水装置１００´と、給水装置１００´の状態を監視するための監視装置３００と、を備える。まず、本実施形態における給水装置について説明する。第１実施形態の給水装置１００と同様の部品については同じ符号が付される。給水装置１００´は、液体（例えば、水）を圧送するためのポンプ１１０と、ポンプ１１０を駆動するためのモータ１２０と、を備える。また、給水装置１００´は、モータ１２０の回転数を制御するためのインバータ１３０と、給水装置１００´の運転を制御するための制御部１４０´と、を備える。
【００５７】
制御部１４０´は、給水装置１００´に関する情報を監視装置３００へ送信する。給水装置１００´に関する情報は、例えば、給水装置１００´の運転状態を示す情報を含む。給水装置１００´の運転状態を示す情報は、例えば、給水装置１００´の保守点検、又は、給水装置１００´の故障の事前診断、を行うために使用される。具体的には、給水装置１００´の運転状態を示す情報は、ポンプ１１０の圧力、ポンプ１１０の液体流量、及び、モータ１２０の回転数、の少なくとも１つを含む。
【００５８】
本実施形態の給水装置１００´は、ポンプ１１０の圧力を検出するための圧力センサ１１２，１１３と、ポンプ１１０の液体流量（吐出し流量）を検出するためのフロースイッチ１１４と、を備える。圧力センサ１１２，１１３によって検出された圧力の信号、及び、フロースイッチ１１４によって検出された流量の信号、は、制御部１４０´に入力される。また、給水装置１００´は、モータ１２０の回転数を検出するための回転数センサ１２２を備える。回転数センサ１２２によって検出された回転数の信号は、制御部１４０´に入力される。制御部１４０´は、入力された圧力の信号、流量の信号、及び、回転数の信号、を監視装置３００へ送信する。なお、給水装置１００´の運転状態を示す情報は、給水装置１００´の運転積算時間、運転回数、故障履歴、目標圧力、設定圧力、流入圧力、電流センサから取得する出力電流値、インバータの出力周波数、ポンプの設置台数、ポンプ温度、受水槽の有無、受水槽の水位、又は、市水流入制御弁の状態などを含んでいてもよい。
【００５９】
本実施形態において、給水装置１００´と監視装置３００は、有線ケーブル３１０によって接続されている。すなわち、本実施形態は、給水装置１００´が、例えば地下などの
電波状態が悪い場所に設置されているために、ＷＷＷ（Ｗｏｒｌｄ  Ｗｉｄｅ  Ｗｅｂ）を用いた通信を行い難いという状況を想定している。そこで、本実施形態では、給水装置１００´と監視装置３００が、有線ケーブル３１０によって接続されている。制御部１４０´は、有線ケーブル３１０を介して給水装置１００´に関する情報を監視装置３００へ送信する。
【００６０】
監視装置３００は、給水装置１００´の状態を監視するための装置であり、制御部３４０と、記憶通信媒体１５０と、を備える。制御部３４０は、ウェブページ生成部３４４を備える。制御部３４０（ウェブページ生成部３４４）は、給水装置１００´から有線ケーブル３１０を介して送信された給水装置１００´に関する情報をウェブブラウザに表示させるためのウェブページを生成する。例えば、制御部３４０は、ＨＴＭＬ（Ｈｙｐｅｒ  Ｔｅｘｔ  Ｍａｒｋｕｐ  Ｌａｎｇｕａｇｅ）を用いてウェブページを生成するが、これには限定されない。
【００６１】
監視装置３００は、制御部３４０によって生成されたウェブページを記憶するための記憶部１５２を備える。また、監視装置３００は、制御部３４０によって生成されたウェブページを外部装置（例えば、作業員が所持する端末装置２００）へ送信するためのウェブサーバ部１５４を備える。具体的には、ウェブサーバ部１５４は、ＨＴＴＰ（Ｈｙｐｅｒｔｅｘｔ  Ｔｒａｎｓｆｅｒ  Ｐｒｏｔｏｃｏｌ）にしたがって、記憶部１５２に記憶されたウェブページを外部装置へ無線送信する。
【００６２】
本実施形態によれば、第１実施形態と同様に、監視装置３００の外部に設けられた端末装置２００は、ネットワークを介してウェブサーバ部１５４へアクセスすることによって、給水装置１００´に関する情報を取得することができる。また、端末装置２００は、例えば、ＩＣタグを用いたＲＦＩＤ（Ｒａｄｉｏ  Ｆｒｅｑｕｅｎｃｙ  Ｉｄｅｎｔｉｆｉｅｒ）通信によって給水装置１００´に関する情報を取得するのではなく、ＷＷＷ（Ｗｏｒｌｄ  Ｗｉｄｅ  Ｗｅｂ）を用いた通信によって給水装置１００´に関する情報を取得することができる。したがって、本実施形態の監視装置３００によれば、例えば、端末装置２００を所持した作業員が監視装置３００の近傍まで行かなくても、給水装置１００´に関する情報を取得することができる。また、本実施形態の監視装置３００によれば、複数台の端末装置２００が遠隔地から給水装置１００´に関する情報を同時に取得することができる。
【００６３】
また、本実施形態の監視装置３００によれば、給水装置１００´の状態を正しく反映した情報を端末装置２００が取得することができる。すなわち、給水装置の情報を取得する方法としては、複数の給水装置それぞれに関する情報を各給水装置から中央監視装置（ワークステーション）へ送信し、作業員が中央監視装置にアクセスすることが考えられる。しかしながら、この構成では、中央監視装置を設けるためのコストがかかる上に、作業員は、給水装置からいったん中央監視装置へ送られた情報を取得することになるので、作業員が取得した情報にタイムラグが生じるおそれがある。これに対して本実施形態では、端末装置２００は、監視装置３００に設けられたウェブサーバ部１５４から直接、給水装置１００´に関する情報を取得することができる。したがって、本実施形態の監視装置３００によれば、端末装置２００は、タイムラグが生じていない、給水装置１００´の状態を正しく反映した情報を取得することができる。
【００６４】
また、本実施形態では、記憶部１５２及びウェブサーバ部１５４は、監視装置３００に対して取り外し可能な記憶通信媒体１５０に実装されている。言い換えると、記憶通信媒体１５０は、無線通信機能が搭載されたメモリカードなどである。監視装置３００は、記憶通信媒体１５０を実装するためのポート１６０を備える。記憶通信媒体１５０は、ポート１６０に対して抜き差しできるようになっている。
【００６５】
記憶通信媒体１５０がポート１６０に実装されている場合には、端末装置２００は、給水装置１００´に関する情報を取得することができる。一方、記憶通信媒体１５０がポート１６０に実装されていない場合には、端末装置２００は、給水装置１００´に関する情報を取得することができない。
【００６６】
また、本実施形態の監視装置３００は、既存の給水装置１００´に対して容易に後付けすることができる。したがって、例えば、既存の給水装置１００´自体を置き換えることなく、監視装置３００を後付けするだけで、容易に給水装置１００´に関する情報を送信することができるようになる。
【００６７】
また、記憶通信媒体１５０がポート１６０に対して取り外し可能になっているので、制御部３４０は、記憶通信媒体１５０がポート１６０に取り付けられている場合にのみ、ウェブページを生成して記憶部１５２へ記憶させるようになっている。監視装置３００は、記憶通信媒体１５０がポート１６０に取り付けられている場合には、端末装置２００との間で通信を行う。言い換えると、制御部３４０は、記憶通信媒体１５０がポート１６０に取り付けられていない場合には、ウェブページの生成及び記憶部１５２への記憶を行わない。監視装置３００は、記憶通信媒体１５０がポート１６０に取り付けられていない場合には、端末装置２００との間で通信を行わない。
【００６８】
このように、本実施形態の監視装置３００は、給水装置１００´に関する情報を送信すべきか否かを記憶通信媒体１５０の有無によって判断できる。このため、本実施形態の監視装置３００は、従来技術のように、通信相手となる端末装置２００が存在しておらず通信を行う必要がない場合にも関わらず送信処理を行うという制御の無駄を防止することができる。
【符号の説明】
【００６９】
１００  給水装置
１１０  ポンプ
１１２，１１３  圧力センサ
１１４  フロースイッチ
１２０  モータ
１２２  回転数センサ
１３０  インバータ
１４０，３４０  制御部
１４２  運転制御部
１４４，３４４  ウェブページ生成部
１５０  記憶通信媒体
１５２  記憶部
１５４  ウェブサーバ部
１６０  ポート
２００  端末装置
３００  監視装置
３１０  有線ケーブル
５００  給水システム
【図１】
0006510890.tif 000002
【図２】
0006510890.tif 000003
【図３】
0006510890.tif 000004
【図４】
0006510890.tif 000005